(57)【要約】【課題】額縁の幅が大きくなるのを抑制しながら光路長を長くして光源の数を削減し、かつ、表示部における輝度が低下するのを抑制することが可能な表示装置を提供する。【解決手段】このＴＶ１００（表示装置）は、ＴＶ本体１００ａと、ＴＶ本体１００ａの前面側に配置され、画像を表示する画像表示領域を有する表示部１０と、前面側または背面側に向けて光を出射するＬＥＤ４２と、縁部近傍がＴＶ本体１００ａの前面側または背面側に向けて折り曲げられて形成された折曲部６２を一体的に含むとともに、折曲部６２の端面６２１にはＬＥＤ４２から出射された光が入射するとともに、ＬＥＤ４２に対向するように配置される光入射面６３が設けられた導光板６と、少なくとも導光板６の折曲部６２の外面角部６２２に設けられる反射シート７とを備える。【選択図】図２
2014153439.tif 000002
【特許請求の範囲】
【請求項１】
表示装置本体と、
前記表示装置本体の前面側に配置され、画像を表示する画像表示領域を有する表示部と、
前面側または背面側に向けて光を出射する光源と、
縁部近傍が前記表示装置本体の前面側または背面側に向けて折り曲げられて形成された折曲部を一体的に含むとともに、前記折曲部の端面には前記光源から出射された光が入射するとともに、前記光源に対向するように配置される光入射面が設けられた導光板と、
少なくとも前記導光板の前記折曲部の外面角部に設けられる反射部とを備える、表示装置。
【請求項２】
前記反射部は、前記折曲部の外面角部のみならず、前記折曲部と前記導光板の前記画像表示領域に対応する位置との間の領域にも設けられている、請求項１に記載の表示装置。
【請求項３】
前記反射部は、前記折曲部の外面角部のみならず、前記折曲部の前後方向に沿って延びる面にも設けられている、請求項１または２に記載の表示装置。
【請求項４】
前記反射部は、前記折曲部のうち前記光入射面以外の略全域に設けられている、請求項１〜３のいずれか１項に記載の表示装置。
【請求項５】
前記折曲部は、前記導光板の縁部近傍が前記表示装置本体の背面側に向けて略Ｌ字形状に折り曲げられて形成され、
前記光源は、前記反射部が形成された前記折曲部の外面角部に向けて光を出射するように構成されている、請求項１〜４のいずれか１項に記載の表示装置。
【請求項６】
前記折曲部は、前記導光板の縁部近傍の外面が前記表示装置本体の背面側に向けて折り曲げられ、前記導光板の縁部近傍の内面が前記光入射面に向かって傾斜して延びるように形成されている、請求項１〜５のいずれか１項に記載の表示装置。
【請求項７】
前記導光板の背面側に配置されるとともに、前記導光板の画像表示領域に対応する部分に対して略平行になるように形成されたヒートシンクをさらに備え、
前記光源が実装される光源基板をさらに備え、
前記光源は、上部から光が出射されるとともに、前記光源基板が前記ヒートシンクに固定された状態で前記反射部が形成された前記折曲部の外面角部に向けて光を出射するように構成されている、請求項１〜６のいずれか１項に記載の表示装置。
【発明の詳細な説明】
【技術分野】
【０００１】
この発明は、表示装置に関し、特に、導光板を備える表示装置に関する。
【背景技術】
【０００２】
従来、導光板を備えるバックライト構造が知られている（たとえば、特許文献１参照）。
【０００３】
上記特許文献１には、バックライト構造本体と、バックライト構造本体の前面側に配置され、画像を表示する液晶表示手段（表示部）と、バックライト構造本体の前面側に向けて光を出射する点発光光源（光源）とを備えるバックライト構造が開示されている。また、このバックライト構造は、縁部近傍がバックライト構造本体の背面側に向けて折り曲げられて形成された屈曲部を含む発光板（導光板）を備える。また、屈曲部の端面には、点発光光源から出射された光が入射するとともに、点発光光源に対向するように配置される光入射部が設けられている。また、光入射部から発光板に入射した光は、屈曲部により発光板の液晶表示手段に対応する位置に向けて（前後方向に対して略９０度）屈折される。また、上記特許文献１のバックライト構造では、屈曲部を設けることにより発光板の平面視における大きさを大きくすることなく、光入射部から画像表示領域に対応する部分に到達するまでの光路長が大きくなっている。これにより、バックライト構造の額縁の幅が大きくなるのを抑制しながら光路長を大きくして点発光光源の数を減らしている。
【先行技術文献】
【特許文献】
【０００４】
【特許文献１】実開平５−９０４５０号公報
【発明の概要】
【発明が解決しようとする課題】
【０００５】
しかしながら、上記特許文献１のバックライト構造では、光入射部から発光板に入射した光が、屈曲部で屈折される際に、屈曲部の外面から発光板の外部に光が漏れやすいと考えられるので、十分な輝度を確保することができないと考えられる。このため、上記特許文献１のバックライト構造を、表示装置に適用した構成においても、屈曲部から光が漏れやすいと考えられるので、十分な輝度を確保することができないという問題点がある。
【０００６】
この発明は、上記のような課題を解決するためになされたものであり、この発明の１つの目的は、額縁の幅が大きくなるのを抑制しながら光路長を長くして光源の数を削減し、かつ、表示部における輝度が低下するのを抑制することが可能な表示装置を提供することである。
【課題を解決するための手段】
【０００７】
この発明の一の局面による表示装置は、表示装置本体と、表示装置本体の前面側に配置され、画像を表示する画像表示領域を有する表示部と、前面側または背面側に向けて光を出射する光源と、縁部近傍が表示装置本体の前面側または背面側に向けて折り曲げられて形成された折曲部を一体的に含むとともに、折曲部の端面には光源から出射された光が入射するとともに、光源に対向するように配置される光入射面が設けられた導光板と、少なくとも導光板の折曲部の外面角部に設けられる反射部とを備える。
【０００８】
この発明の一の局面による表示装置では、上記のように、少なくとも導光板の折曲部の外面角部に反射部を設けることによって、光入射面から導光板に入射した光が折曲部により導光板の表示部に対応する位置に向けて屈折される際に、外面角部に設けられた反射部により反射されるので、導光板の外部に光が漏れるのを抑制することができる。これにより、表示部の輝度が低下するのを抑制することができる。また、縁部近傍が表示装置本体の前面側または背面側に向けて折り曲げられて形成された折曲部を含む導光板を設けることによって、平面視で導光板の外形（画像表示領域の外側の部分）が大きくなるのを抑制しながら導光板の画像表示領域に対応する部分に到達するまでの光路長を長くすることができる。これにより、光源から出射された光を折曲部内部で広げて導光板の画像表示領域に対応する部分に導くことができるので、表示装置の額縁の幅が大きくなるのを抑制しながら光路長を長くして光源の数を削減することができる。したがって、この表示装置では、額縁の幅が大きくなるのを抑制しながら光路長を長くして光源の数を削減し、かつ、表示部における輝度が低下するのを抑制することができる。また、導光板の縁部近傍を折り曲げて導光板と一体的に折曲部を形成することによって、折曲部を別個に設ける場合とは異なり、部品点数の増加を抑制することができる。
【０００９】
上記一の局面による表示装置において、好ましくは、反射部は、折曲部の外面角部のみならず、折曲部と導光板の画像表示領域に対応する位置との間の領域にも設けられている。このように構成すれば、光入射面から導光板に入射した光が、折曲部の外面角部のみならず、折曲部と導光板の画像表示領域に対応する位置との間の領域でも反射部により導光板の外部に光が漏れるのを抑制することができるので、表示部における光の輝度が低下するのをより抑制することができる。
【００１０】
上記一の局面による表示装置において、好ましくは、反射部は、折曲部の外面角部のみならず、折曲部の前後方向に沿って延びる面にも設けられている。このように構成すれば、光入射面から導光板に入射した光が、折曲部の外面角部のみならず、折曲部の前後方向に沿って延びる面でも反射部により導光板（折曲部）の外部に光が漏れるのを抑制することができるので、表示部における光の輝度が低下するのをさらに抑制することができる。
【００１１】
上記一の局面による表示装置において、好ましくは、反射部は、折曲部のうち光入射面以外の略全域に設けられている。このように構成すれば、光入射面から導光板に入射した光が、折曲部のうち光入射面以外の略全域で反射部により導光板（折曲部）の外部に光が漏れるのを抑制することができるので、表示部における光の輝度が低下するのをより効果的に抑制することができる。
【００１２】
上記一の局面による表示装置において、好ましくは、折曲部は、導光板の縁部近傍が表示装置本体の背面側に向けて略Ｌ字形状に折り曲げられて形成され、光源は、反射部が形成された折曲部の外面角部に向けて光を出射するように構成されている。このように構成すれば、光源から出射された光が外面角部に設けられた反射部に当たりやすくすることができるので、反射部により光を内側に反射して導光板の外部に光が漏れるのをより有効に抑制することができる。
【００１３】
上記一の局面による表示装置において、好ましくは、折曲部は、導光板の縁部近傍の外面が表示装置本体の背面側に向けて折り曲げられ、導光板の縁部近傍の内面が光入射面に向かって傾斜して延びるように形成されている。このように構成すれば、平面視において、折曲部の内面を前面側または背面側に向けて折り曲げられて形成する場合に対して、折曲部の内面と外面との距離を大きくすることができるので、内面と外面との間で反射しながら進む光の光路長を容易に大きくすることができる。これにより、光源から出射された光を折曲部内部で効率よく広げて導光板の画像表示領域に対応する部分に導くことができるので、より効果的に表示装置の額縁の幅が大きくなるのを抑制しながら光源の数を削減することができる。
【００１４】
上記一の局面による表示装置において、好ましくは、導光板の背面側に配置されるとともに、導光板の画像表示領域に対応する部分に対して略平行になるように形成されたヒートシンクをさらに備え、光源が実装される光源基板をさらに備え、光源は、上部から光が出射されるとともに、光源基板がヒートシンクに固定された状態で反射部が形成された折曲部の外面角部に向けて光を出射するように構成されている。このように構成すれば、導光板の画像表示領域に対応する部分に対して略平行になるように形成されたヒートシンクに光源を設けるだけで、光源から出射される光を導光板（折曲部）に入射させることができる。これにより、光源が設置されているヒートシンクを折り曲げて光の出射方向を変更する場合とは異なり、ヒートシンクの形状が複雑になるのを抑制することができる。
【発明の効果】
【００１５】
本発明によれば、上記のように、額縁の幅が大きくなるのを抑制しながら光路長を長くして光源の数を削減し、かつ、表示部における輝度が低下するのを抑制することができる。
【図面の簡単な説明】
【００１６】
【図１】本発明の一実施形態によるＴＶの全体構成を示した図である。
【図２】図１の５００−５００線に沿った断面図である。
【図３】本発明の一実施形態によるＴＶの導光板を示した斜視図である。
【図４】本発明の一実施形態によるＴＶの折曲部を拡大した図である。
【図５】本発明の一実施形態の第１変形例によるＴＶの折曲部を拡大した図である。
【図６】本発明の一実施形態の第２変形例によるＴＶの折曲部を拡大した図である。
【発明を実施するための形態】
【００１７】
以下、図１〜図４を参照して、本発明の一実施形態によるＴＶ（テレビジョン装置）１００の構成について説明する。なお、ＴＶ１００は、本発明の「表示装置」の一例である。
【００１８】
本発明の一実施形態によるＴＶ１００は、図１に示すように、開口部１ａを有するフロントフレーム１と、リアフレーム２（図２参照）とを備える。また、フロントフレーム１の開口部１ａからは後述する反射防止シート１１が露出されるように構成されている。また、ＴＶ１００は、受信部２０により放送信号を受信可能なように構成されている。なお、ＴＶ本体１００ａは、本発明の「表示装置本体」の一例である。
【００１９】
また、ＴＶ１００の内部には、図２および図４に示すように、ヒートシンク３と、ＬＥＤ４２を含むＬＥＤモジュール４と、スペーサ５（図２参照）とが配置されている。また、ＴＶ１００の内部には、導光板６と、反射シート７と、光学シート８と、樹脂フレーム９とが配置されている。また、樹脂フレーム９の前面側（Ｘ１方向側）には、表示部１０と、反射防止シート１１とが配置されている。また、表示部１０は、主に液晶セルにより構成されている。また、表示部１０は、ＴＶ本体１００ａの前面側に配置され、フロントフレーム１の開口部１ａにより形成された領域に画像を表示する画像表示領域を有している。なお、ＬＥＤ４２は、本発明の「光源」の一例である。
【００２０】
ここで、本実施形態では、また、ヒートシンク３は、図２〜図４に示すように、金属（板金）により平坦面状に形成されている。また、ヒートシンク３は、Ｙ方向に延びるように平坦面状に形成されている。ヒートシンク３は、ＬＥＤ４２の熱を放熱する機能を有している。また、図２および図４に示すように、ヒートシンク３の背面側（Ｘ２方向側）には、リアフレーム２が配置されている。ヒートシンク３は、導光板６の背面側に配置されるとともに、導光板６の画像表示領域に対応する部分に対して略平行になるように形成されている。
【００２１】
また、本実施形態では、ＬＥＤモジュール４は、図２〜図４に示すように、ＬＥＤ基板４１と、ＬＥＤ基板４１に実装されるＬＥＤ４２とを含んでいる。また、ＬＥＤ基板４１は、図示しない両面テープによりヒートシンク３に固定されるように構成されている。また、ＬＥＤ４２は、図３に示すように、後述する導光板６の光入射面（端面）６３に沿った方向（Ｚ方向）に所定の間隔を隔てて複数個設けられている。また、ＬＥＤ４２は、表示部１０に光を供給するように構成されている。また、ＬＥＤ４２は、図４に示すように、上部４２１（Ｘ１方向側の部分）から光を出射させるトップビュー型のＬＥＤである。なお、ＬＥＤ基板４１は、本発明の「光源基板」の一例である。
【００２２】
また、ＬＥＤ４２は、図２〜図４に示すように、前面側（Ｘ１方向側）に向けて光を出射するように構成されている。また、ＬＥＤ４２は、上部４２１（図４参照）から光が出射されるとともに、ＬＥＤ基板４１がヒートシンク３に固定された状態で反射シート７が形成された折曲部６２の外面角部６２２に向けて光を出射するように構成されている。また、ＴＶ本体１００ａ（図１参照）を正面から見た場合に、左側（Ｙ２方向側）に配置されるように構成されている。
【００２３】
スペーサ５は、図２に示すように、ヒートシンク３のＸ１方向側に設けられている。また、スペーサ５は、導光板６をＸ方向の所定の位置に配置する機能を有している。
【００２４】
また、本実施形態では、導光板６は、表示部１０に光を導く機能を有している。また、図１および図３に示すように、導光板６は、前面側（Ｘ１方向側）から見て、概略的には略長方形形状を有している。また、導光板６は、図２〜図４に示すように、略平坦面状に延びる本体部６１と、背面側（Ｘ２方向側）に折り曲げられて形成される折曲部６２とを含んでいる。
【００２５】
具体的には、図２〜図４に示すように、導光板６は、縁部近傍がＴＶ本体１００ａの背面側（Ｘ２方向側）に向けて折り曲げられて形成された折曲部６２を一体的に含むように構成されている。また、折曲部６２のＸ２方向側の端面にはＬＥＤ４２から出射された光が入射するとともに、ＬＥＤ４２に対向するように配置される光入射面６３が設けられている。また、導光板６は、光入射面６３から入射した光を出射させる光出射面６４を前面側（Ｘ１方向側）に有している。
【００２６】
折曲部６２は、図２〜図４に示すように、導光板６のＹ２方向側の縁部近傍が背面側（Ｘ２方向側）に略Ｌ字形状に折り曲げられて形成されている。詳細には、折曲部６２は、図４に示すように、光入射面６３としての端面６２１と、外面角部６２２と、内面角部６２３と、外側面６２４と、内側面６２５と、上側面６２６（図３参照）とを含んでいる。外面角部６２２および内面角部６２３は、前後方向（Ｘ方向）に対して、４５度（図４に示すθ度）傾斜するように形成されている。また、外側面６２４、内側面６２５および上側面６２６（図３参照）は、前後方向に沿って平行に延びるように形成されている。また、上側面６２６が前後方向に沿って延びるように形成されているのと同様に、導光板６のＺ２方向側には下側面（図示せず）が形成されている。
【００２７】
また、光入射面６３には、図３に示すように、複数個のＬＥＤ４２が対向するように配置されている。また、光入射面６３は、図２〜図４に示すように、光出射面６４に対して略平行になるように構成されている。また、光出射面６４は、表示部１０の画像表示領域に重なるように配置されている。すなわち、光出射面６４は、導光板６の画像表示領域に対応する位置に設けられている。また、導光板６は、アクリル樹脂により形成されている。
【００２８】
また、本実施形態では、図２〜図４に示すように、導光板６には、導光板６から光が漏れるのを抑制する反射シート７が設けられている。また、反射シート７は、図３および図４に示すように、導光板６の所定の位置に配置される外面反射シート７１と、内面反射シート７２と、側面反射シート７３（図３参照）とを含んでいる。また、反射シート７（外面反射シート７１）は、導光板６の折曲部６２の外面角部６２２に設けられている。また、反射シート７（内面反射シート７２）は、内面角部６２３に設けられている。また、反射シート７（外面反射シート７１）は、折曲部６２の前後方向（Ｘ方向）に沿って延びる外側面６２４に設けられている。また、反射シート７（内面反射シート７２）は、折曲部６２の前後方向（Ｘ方向）に沿って延びる内側面６２５に設けられている。また、反射シート７（側面反射シート７３）は、図３に示すように、折曲部６２の前後方向（Ｘ方向）に沿って延びる上側面６２６と、Ｘ方向において上側面６２６と反対側の下側面（図示せず）とに設けられている。すなわち、反射シート７は、折曲部６２のうち光入射面６３以外の全域に設けられている。なお、反射シート７（外面反射シート７１、内面反射シート７２および側面反射シート７３）は、本発明の「反射部」の一例である。
【００２９】
また、反射シート７は、図２および図４に示すように、折曲部６２の外面角部６２２のみならず、折曲部６２と導光板６の画像表示領域に対応する位置との間の領域にも設けられている。また、反射シート７（内面反射シート７２）は、図２に示すように、導光板６の背面側（Ｘ２方向側）の全面に延びるように形成されている。また、反射シート７は、ポリエステルにより形成されている。
【００３０】
また、図２および図４に示すように、導光板６の前面側（Ｘ１方向側）には、導光板６の光出射面６４から出射される光を効率よく表示部１０に伝達する光学シート８が設けられている。
【００３１】
樹脂フレーム９は、図２および図４に示すように、導光板６をＴＶ本体１００ａに固定する機能を有している。具体的には、導光板６は、樹脂フレーム９とリアフレーム２とに挟まれた状態でＴＶ本体１００ａに固定されるように構成されている。
【００３２】
表示部１０は、図２および図４に示すように、樹脂フレーム９の前面側（Ｘ１方向側）に配置されている。また、反射防止シート１１は、表示部１０の前面側に配置されている。
【００３３】
本実施形態では、上記のように、少なくとも導光板６の折曲部６２の外面角部６２２に反射シート７を設けることによって、光入射面６３から導光板６に入射した光が折曲部６２により導光板６の表示部１０に対応する位置に向けて屈折される際に、外面角部６２２に設けた反射シート７により反射することができるので、導光板６の外部に光が漏れるのを抑制することができる。これにより、表示部１０の輝度が低下するのを抑制することができる。また、縁部近傍がＴＶ本体１００ａの背面側に向けて折り曲げられて形成された折曲部６２を含む導光板６を設けることによって、導光板６の外形（画像表示領域の外側の部分）が大きくなるのを抑制しながら導光板６の画像表示領域に対応する部分に到達するまでの光路長を長くすることができる。これにより、光を折曲部６２内部で広げて導光板６の画像表示領域に対応する部分に導くことができるので、ＴＶ１００の額縁の幅が大きくなるのを抑制しながら光路長を長くしてＬＥＤ４２の数を削減することができる。したがって、このＴＶ１００では、額縁の幅が大きくなるのを抑制しながら光路長を長くして光源の数を削減し、かつ、表示部１０における輝度が低下するのを抑制することができる。また、導光板６を折り曲げて導光板６と一体的に折曲部６２を形成することによって、折曲部６２を別個に設ける場合とは異なり、部品点数の増加を抑制することができる。
【００３４】
本実施形態では、上記のように、折曲部６２の外面角部６２２のみならず、折曲部６２と導光板６の画像表示領域に対応する位置との間の領域にも反射シート７を設ける。これにより、導光板６に入射した光が、折曲部６２の外面角部６２２のみならず、折曲部６２と導光板６の画像表示領域に対応する位置との間の領域でも反射シート７により導光板６の外部に光が漏れるのを抑制することができるので、表示部１０における輝度が低下するのをより抑制することができる。
【００３５】
本実施形態では、上記のように、折曲部６２の外面角部６２２のみならず、外側面６２４、内側面６２５、上側面６２６、および下側面にも反射シート７を設ける。これにより、光入射面６３から導光板６に入射した光が、折曲部６２の外面角部６２２のみならず、外側面６２４、内側面６２５、上側面６２６、および下側面でも反射シート７により導光板６（折曲部６２）の外部に光が漏れるのを抑制することができるので、表示部１０における輝度が低下するのをさらに抑制することができる。
【００３６】
本実施形態では、上記のように、折曲部６２のうち光入射面６３以外の略全域に反射シート７を設ける。これにより、導光板６に入射した光が、折曲部６２のうち光入射面６３以外の略全域で反射シート７により導光板６（折曲部６２）の外部に光が漏れるのを抑制することができるので、表示部１０における輝度が低下するのをより効果的に抑制することができる。
【００３７】
本実施形態では、上記のように、ＴＶ本体１００ａの背面側に向けて略Ｌ字形状に折り曲げて形成した折曲部６２の外面角部６２２に向けて光を出射するようにＬＥＤ４２を構成する。これにより、反射シート７が配置された外面角部６２２に設けられた反射シート７に光が当たりやすくすることができるので、導光板６の外部に光が漏れるのをより有効に抑制することができる。
【００３８】
本実施形態では、上記のように、導光板６に略平行になるように形成されたヒートシンクに上部４２１から光が出射されるＬＥＤ４２を固定した状態で、反射シート７が形成された外面角部６２２に向けて光を出射するようにＬＥＤ４２を構成する。これにより、導光板６の画像表示領域に対応する部分に対して略平行になるように形成されたヒートシンクにＬＥＤ４２を設けるだけで、ＬＥＤ４２から出射される光を導光板６に入射させることができる。その結果、ＬＥＤ４２が設置されるヒートシンク３を折り曲げて光の出射方向を変更する場合とは異なり、ヒートシンク３の形状が複雑になるのを抑制することができる。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記実施形態では、本発明を表示装置としてのＴＶ（テレビジョン装置）に適用する例を示したが、本発明はこれに限られない。本発明は、ＰＣ（Ｐｅｒｓｏｎａｌ  Ｃｏｍｐｕｔｅｒ）のモニタなどの他の表示装置にも適用可能である。
【００４１】
また、上記実施形態では、外面角部および内面角部を、それぞれ、前後方向に対して４５度傾斜させた例を示したが、本発明はこれに限られない。本発明では、外面角部および内面角部を、それぞれ、前後方向に対して０度より大きく４５度より小さい角度、または、４５度より大きく９０度より小さい角度傾斜させてもよい。また、外面角部および内面角部を、それぞれ、前後方向に対して異なる角度傾斜させてもよい。
【００４２】
また、上記実施形態では、直線状の外面角部および内面角部を設けた例を示したが、本発明はこれに限られない。本発明では、丸型形状の外面角部および内面角部を設けてもよい。
【００４３】
また、上記実施形態では、本発明の反射部が反射シートである例を示したが、本発明はこれに限られない。本発明では、蒸着などにより形成された反射膜により、反射部を構成してもよい。
【００４４】
また、上記実施形態では、折曲部の光入射面以外の全域に反射シート（反射部）を設ける例を示したが、本発明はこれに限られない。本発明では、少なくとも折曲部の外面角部に反射部を設ければよい。たとえば、折曲部の外面角部と、折曲部と導光板の画像表示領域に対応する位置との間の領域とに反射部を設けてもよい。また、折曲部の外面角部と、折曲部の前後方向に沿って延びる面とに反射部を設けてもよい。
【００４５】
上記実施形態では、導光板の縁部近傍がＴＶ本体（表示装置本体）の背面側に向けて略Ｌ字形状に折り曲げて折曲部を形成する例を示したが、本発明はこれに限られない。本発明では、導光板１６０の端部近傍が表示装置本体の背面側に折り曲げられて形成されていれば、図５に示す第１変形例のように、導光板１６０の縁部近傍の外面１６３ａが表示装置本体の背面側に向けて折り曲げられ、導光板の縁部近傍の内面１６３ｂが光入射面に向かって傾斜して延びるように折曲部１６２を形成してもよい。この場合、折曲部１６２の外面角部１６２１には、反射シート１７０が設けられている。
【００４６】
また、上記実施形態では、導光板の縁部近傍を背面側に折り曲げて折曲部を形成した例を示したが、本発明はこれに限られない。本発明では、図６に示す第２変形例のように、導光板２６０の縁部近傍を前面側に折り曲げて折曲部を形成してもよい。この場合、折曲部２６２の外面角部２６２１には、反射シート２７０が設けられている。
【符号の説明】
【００４７】
３  ヒートシンク
６、１６０、２６０  導光板
７、１７０、２７０  反射部（反射シート）
１０  表示部
４１  ＬＥＤ基板（光源基板）
４２  ＬＥＤ（光源）
６２、１６２、２６２  折曲部
６３、１６３  光入射面
７１  外面反射シート（反射シート）
７２  内面反射シート（反射シート）
７３  側面反射シート（反射シート）
１００  ＴＶ（表示装置）
１００ａ  ＴＶ本体（表示装置本体）
１６３ａ  外面
１６３ｂ  内面
４２１  上部
６２１  端面
６２２、１６２１、２６２１  外面角部
【図１】
2014153439.tif 000003
【図２】
2014153439.tif 000004
【図３】
2014153439.tif 000005
【図４】
2014153439.tif 000006
【図５】
2014153439.tif 000007
【図６】
2014153439.tif 000008